【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
画像に含まれるコピー履歴情報を含むコードからコピー履歴情報を抽出する抽出手段と、
前記抽出されたコピー履歴情報に、今回のコピー分のコピー履歴情報を加えた情報をコード化することにより、コードを生成するコード化手段と、
前記画像に含まれる前記コードの代わりとして、前記生成されたコードを前記画像に埋め込む埋込手段とを有することを特徴とする画像処理装置。
【請求項２】
前記埋込手段は、前記画像のうち前記コードが含まれていた領域に前記生成されたコードを埋め込むことを特徴とする請求項１に記載の画像処理装置。
【請求項３】
前記抽出手段が、前記コードから、前記コピー履歴情報に加えて、コピーを禁止することを示す情報も抽出した場合には、
前記画像の印刷を印刷手段にさせないことを特徴とする請求項１又は２に記載の画像処理装置。
【請求項４】
前記抽出手段が、前記コードから、前記コピー履歴情報は抽出したものの、コピーを禁止することを示す情報も抽出しなかった場合には、
前記埋込手段での埋め込みにより得られた画像を前記印刷手段に印刷させることを特徴とする請求項３に記載の画像処理装置。
【請求項５】
前記埋込手段は、前記画像に含まれるコードを削除する削除手段をさらに有することを特徴とする請求項１に記載の画像処理装置。
【請求項６】
前記コードを含んでいた前記画像は、紙のスキャンにより得られた画像であり、前記埋込手段で前記生成されたコードの埋め込まれた後の画像は、印刷される画像であることを特徴とする請求項１乃至５の何れか１項に記載の画像処理装置。
【請求項７】
前記コピー履歴情報には、ユーザを示す情報、コピー時刻を示す情報、コピーを行った機体番号を示す情報が含まれることを特徴とする請求項１乃至６の何れか１項に記載の画像処理装置。
【請求項８】
前記画像における下地の領域には、前記コードの位置を示す情報が含まれていることを特徴とする請求項１乃至７の何れか１項に記載の画像処理装置。
【請求項９】
前記コードには他のコードの位置を示すリンク情報が含まれており、
前記リンク情報に従い、他のコードを特定していく特定手段を有し、
前記リンク情報にＥＮＤが含まれている場合に、前記特定手段は他のコードの特定を中止する中止手段をさらに有することを特徴とする請求項１乃至８の何れか１項に記載の画像処理装置。
【請求項１０】
画像に含まれるコピー履歴情報を含むコードからコピー履歴情報を抽出する抽出ステップと、
前記抽出されたコピー履歴情報に、今回のコピー分のコピー履歴情報を加えた情報をコード化することにより、コードを生成するコード化ステップと、
前記画像に含まれる前記コードの代わりとして、前記生成されたコードを前記画像に埋め込む埋込ステップとを有することを特徴とする画像処理方法。
【請求項１１】
前記埋込ステップは、前記画像のうち前記コードが含まれていた領域に前記生成されたコードを埋め込むことを特徴とする請求項１０に記載の画像処理方法。
【請求項１２】
前記抽出ステップが、前記コードから、前記コピー履歴情報に加えて、コピーを禁止することを示す情報も抽出した場合には、
前記画像の印刷を印刷ステップにおいてさせないことを特徴とする請求項１０又は１１に記載の画像処理方法。
【請求項１３】
前記抽出ステップが、前記コードから、前記コピー履歴情報は抽出したものの、コピーを禁止することを示す情報も抽出しなかった場合には、
前記埋込ステップでの埋め込みにより得られた画像を前記印刷ステップで印刷させることを特徴とする請求項１２に記載の画像処理方法。
【請求項１４】
前記埋込ステップは、前記画像に含まれるコードを削除する削除ステップをさらに有することを特徴とする請求項１０に記載の画像処理方法。
【請求項１５】
前記コードを含んでいた前記画像は、紙のスキャンにより得られた画像であり、前記埋込ステップで前記生成されたコードの埋め込まれた後の画像は、印刷される画像であることを特徴とする請求項１０乃至１４の何れか１項に記載の画像処理方法。
【請求項１６】
前記コピー履歴情報には、ユーザを示す情報、コピー時刻を示す情報、コピーを行った機体番号を示す情報が含まれることを特徴とする請求項１０乃至１５の何れか１項に記載の画像処理方法。
【請求項１７】
前記画像における下地の領域には、前記コードの位置を示す情報が含まれていることを特徴とする請求項１０乃至１６の何れか１項に記載の画像処理方法。
【請求項１８】
前記コードには他のコードの位置を示すリンク情報が含まれており、
前記リンク情報に従い、他のコードを特定していく特定ステップを有し、
前記リンク情報にＥＮＤが含まれている場合に、前記特定ステップは他のコードの特定を中止する中止ステップをさらに有することを特徴とする請求項１０乃至１７の何れか１項に記載の画像処理方法。
【請求項１９】
請求項１０乃至１８に記載の画像処理方法をコンピュータに実行させるためのプログラム。
【手続補正２】
【補正対象書類名】明細書
【補正対象項目名】０００９
【補正方法】変更
【補正の内容】
【０００９】
上述した課題を解決するために、本発明の画像処理装置は、画像に含まれるコピー履歴情報を含むコードからコピー履歴情報を抽出する抽出手段と、前記抽出されたコピー履歴情報に、今回のコピー分のコピー履歴情報を加えた情報をコード化することにより、コードを生成するコード化手段と、前記画像に含まれる前記コードの代わりとして、前記生成されたコードを前記画像に埋め込む埋込手段とを有することを特徴とする。
【手続補正３】
【補正対象書類名】明細書
【補正対象項目名】００１０
【補正方法】変更
【補正の内容】
【００１０】
また、本発明は、前記埋込手段は、前記画像のうち前記コードが含まれていた領域に前記生成されたコードを埋め込むことを特徴とする。
また、本発明は、前記抽出手段が、前記コードから、前記コピー履歴情報に加えて、コピーを禁止することを示す情報も抽出した場合には、前記画像の印刷を印刷手段にさせないことを特徴とする。
また、本発明は、前記抽出手段が、前記コードから、前記コピー履歴情報は抽出したものの、コピーを禁止することを示す情報も抽出しなかった場合には、前記埋込手段での埋め込みにより得られた画像を前記印刷手段に印刷させることを特徴とする。
また、本発明は、前記埋込手段は、前記画像に含まれるコードを削除する削除手段をさらに有することを特徴とする。
【手続補正４】
【補正対象書類名】明細書
【補正対象項目名】００１１
【補正方法】変更
【補正の内容】
【００１１】
また、本発明は、前記コードを含んでいた前記画像は、紙のスキャンにより得られた画像であり、前記埋込手段で前記生成されたコードの埋め込まれた後の画像は、印刷される画像であることを特徴とする。
【手続補正５】
【補正対象書類名】明細書
【補正対象項目名】００１３
【補正方法】変更
【補正の内容】
【００１３】
また、本発明は、前記画像における下地の領域には、前記コードの位置を示す情報が含まれていることを特徴とする。
【手続補正６】
【補正対象書類名】明細書
【補正対象項目名】００１４
【補正方法】変更
【補正の内容】
【００１４】
また、本発明は、前記コードには他のコードの位置を示すリンク情報が含まれており、前記リンク情報に従い、他のコードを特定していく特定手段を有し、前記リンク情報にＥＮＤが含まれている場合に、前記特定手段は他のコードの特定を中止する中止手段をさらに有することを特徴とする。
【手続補正７】
【補正対象書類名】明細書
【補正対象項目名】００１５
【補正方法】変更
【補正の内容】
【００１５】
また、本発明は、画像処理方法であって、画像に含まれるコピー履歴情報を含むコードからコピー履歴情報を抽出する抽出ステップと、前記抽出されたコピー履歴情報に、今回のコピー分のコピー履歴情報を加えた情報をコード化することにより、コードを生成するコード化ステップと、前記画像に含まれる前記コードの代わりとして、前記生成されたコードを前記画像に埋め込む埋込ステップとを有することを特徴とする。
【手続補正８】
【補正対象書類名】明細書
【補正対象項目名】００１６
【補正方法】変更
【補正の内容】
【００１６】
また、本発明は、前記埋込ステップは、前記画像のうち前記コードが含まれていた領域に前記生成されたコードを埋め込むことを特徴とする。
また、本発明は、前記抽出ステップが、前記コードから、前記コピー履歴情報に加えて、コピーを禁止することを示す情報も抽出した場合には、前記画像の印刷を印刷ステップにおいてさせないことを特徴とする。
また、本発明は、前記抽出ステップが、前記コードから、前記コピー履歴情報は抽出したものの、コピーを禁止することを示す情報も抽出しなかった場合には、前記埋込ステップでの埋め込みにより得られた画像を前記印刷ステップで印刷させることを特徴とする。
また、本発明は、前記埋込ステップが、前記画像に含まれるコードを削除する削除ステップをさらに有することを特徴とする。
【手続補正９】
【補正対象書類名】明細書
【補正対象項目名】００１７
【補正方法】変更
【補正の内容】
【００１７】
また、本発明は、前記コードを含んでいた前記画像は、紙のスキャンにより得られた画像であり、前記埋込ステップで前記生成されたコードの埋め込まれた後の画像は、印刷される画像であることを特徴とする。
【手続補正１０】
【補正対象書類名】明細書
【補正対象項目名】００１９
【補正方法】変更
【補正の内容】
【００１９】
また、本発明は、前記画像における下地の領域には、前記コードの位置を示す情報が含まれていることを特徴とする。
また、本発明は、前記コードには他のコードの位置を示すリンク情報が含まれており、前記リンク情報に従い、他のコードを特定していく特定ステップを有し、前記リンク情報にＥＮＤが含まれている場合に、前記特定ステップは他のコードの特定を中止する中止ステップをさらに有することを特徴とする。